【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】  媒体アクセス制御（ＭＡＣ）層が複数のトランスポートチャネル経由で物理層にデータを提供するように物理層とＭＡＣ層とを含む複数のプロトコル層を備え、
前記トランスポートチャネルの各々が、トランスポートチャネルデータの中の論理チャネルデータをトランスポートするための１セットの論理チャネルと関連づけてあり、
少なくとも一つのトランスポートチャネルが、互いに異なる論理タイプの少なくとも二つの論理チャネルを含む１セットの論理チャネルと関連づけてあり、
データのトランスポートブロックが前記トランスポートチャネルのうちの一つについてのＭＡＣヘッダおよび論理チャネルデータを含むようにトランスポート用のデータのブロックを前記物理層が受信し、特定のトランスポートチャネルについて、前記論理チャネルデータが前記特定のトランスポートチャネルに関連づけられた前記１セットの論理チャネルから選択された一つの論理チャネルについてのものとなり、
前記トランスポートブロックの各々が、選ばれた有限個数のトランスポートブロック（ＴＢ）ビットサイズのうちの一つを有し、
トランスポートブロックの各々についての前記論理チャネルデータが、選ばれた４以上の整数Ｎで割り切れるビットサイズを備え、
トランスポートブロックの各々についてのＭＡＣヘッダが、ＭＡＣヘッダビットサイズと前記論理チャネルデータビットサイズとの和が前記ＴＢビットサイズのうち一つと等しくなるようなビットサイズを備え、
前記ＭＡＣヘッダビットサイズが、同一のトランスポートチャネルおよび同一の選択した論理チャネルについてのデータをトランスポートするトランスポートブロックについては固定されており、異なるトランスポートチャネルまたは選択した異なる論理チャネルについてのデータをトランスポートするトランスポートブロックについてのＭＡＣヘッダビットサイズとは異なる場合があり、
前記少なくとも二つの互いに異なるタイプの論理チャネルを含む論理チャネルセットに少なくとも一つのトランスポートチャネルが関連づけられ、固定の各ＭＡＣヘッダビットサイズがモジュロＮのＭ（Ｍは０より大きくＮ未満の整数である）になるように前記１セットの中の各論理チャネルに関連づけられた固定のＭＡＣヘッダビットサイズを選択する
ＣＤＭＡ通信システム。
【請求項２】  Ｎが８に等しく、前記論理データがデータオクテットで構成された無線リンク制御プロトコルデータユニット（ＲＬＣ  ＰＤＵ）の形である請求項１記載のＣＤＭＡデータ通信システム。
【請求項３】  少なくとも二つの互いに異なるタイプの論理チャネルを含む論理チャネルセットに関連づけられた少なくとも一つのトランスポートチャネルについて、各ＭＡＣヘッダが論理チャネルデータに関連づけられた被選択論理チャネルのタイプを特定するデータのためのデータフィールドを有し、前記データフィールドのビットサイズを前記ＭＡＣヘッダのモジュロＮのビットサイズＭを定めるように選んだ請求項３記載のＣＤＭＡデータ通信システム。
【請求項４】  前記データフィールドのビットサイズを、前記少なくとも一つのトランスポートチャネルについてトランスポートチャネルと論理チャネルとの組み合わせのペイロード要求が最も制限された論理チャネルで最短になるように選択した請求項３記載のＣＤＭＡデータ通信システム。
【請求項５】  前記少なくとも一つのトランスポートチャネルに関連づけられた前記セットの中の一つ以上の論理チャネルのＭＡＣヘッダの前記データフィールドを、前記少なくとも一つのトランスポートチャネルと関連づけられた前記論理チャネルセットの中の他のどの論理チャネルよりも総体的に高い頻度で前記少なくとも一つのトランスポートチャネルと前記一つ以上の論理チャネルが併用されるように、最短データフィールドビットサイズとした請求項３記載のＣＤＭＡデータ通信システム。
【請求項６】  少なくとも四つの互いに異なるタイプの論理チャネルを有する１セットの論理チャネルに関連づけられた少なくとも二つのトランスポートチャネルを有するＣＤＭＡデータ通信システムであって、前記少なくとも二つのトランスポートチャネルについて、それぞれの論理チャネルセットの中の各論理チャネルに関連づけられた固定のＭＡＣヘッダビットサイズを、各固定ＭＡＣヘッダビットサイズがＭモジュロＮ（ＭはＮ未満の整数であり、ＮとＭとは互いに異なるトランスポートチャネルに関連づけられたＭＡＣヘッダについては互いに異なっていても差し支えない）に等しくなるように選んだことを特徴とする請求項１記載のＣＤＭＡデータ通信システム。
【請求項７】  Ｎが８に等しく、前記論理データがデータオクテットで構成された無線リンク制御プロトコルデータユニット（ＲＬＣ  ＰＤＵ）の形である請求項６記載のＣＤＭＡデータ通信システム。
【請求項８】  前記少なくとも二つのトランスポートチャネルが、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）および共通トラフィックチャネル（ＣＴＣＨ）を含む１セットの論理チャネルと関連づけられた順方向アクセスチャネル（ＦＡＣＨ）と、
前記ＤＴＣＨ、前記ＤＣＣＨ、前記ＳＨＣＣＨおよび前記ＣＣＣＨを含む１セットの論理チャネルと関連づけられたランダムアクセスチャネル（ＲＡＣＨ）と
を含む請求項７記載のＣＤＭＡデータ通信システム。
【請求項９】  前記ＦＡＣＨトランスポートチャネル用の前記論理チャネルに関連づけられた各ＭＡＣヘッダについてＭが３に等しく、前記ＲＡＣＨトランスポートチャネル用の前記論理チャネルに関連づけられた各ＭＡＣヘッダについてＭが２に等しい請求項８記載のＣＤＭＡデータ通信システム。
【請求項１０】  前記ＦＡＣＨトランスポートチャネルおよびＲＡＣＨトランスポートチャネルについて、各ＭＡＣヘッダが前記トランスポートチャネルデータに関連づけられた被選択論理チャネルのタイプの特定のためのデータ用のＴＣＴＦデータフィールドを有し、前記ＴＣＴＦフィールドのビットサイズを前記ＭＡＣヘッダのモジュロＮのビットサイズＭに定めるように選んだ請求項８記載のＣＤＭＡデータ通信システム。
【請求項１１】  前記ＣＣＣＨ、ＣＴＣＨ、ＳＨＣＣＨおよびＢＣＣＨ論理チャネルに関連づけられたＦＡＣＨ  ＭＡＣヘッダについて前記ＴＣＴＦデータフィールドビットサイズが３であり、前記ＤＣＣＨおよびＤＴＣＨ論理チャネルに関連づけられた前記ＦＡＣＨ  ＭＡＣヘッダについてＴＣＴＦデータフィールドビットサイズが５であり、前記ＣＣＣＨおよびＳＨＣＣＨ論理チャネルに関連づけられた前記ＲＡＣＨ  ＭＡＣヘッダについて前記ＴＣＴＦデータフィールドビットサイズが２であり、前記ＤＣＣＨおよびＤＴＣＨ論理チャネルに関連づけられた前記ＲＡＣＨ  ＭＡＣヘッダについて前記ＴＣＴＦデータフィールドビットサイズが４である請求項１０記載のＣＤＭＡデータ通信システム。
【請求項１２】  前記ＦＡＣＨトランスポートチャネル用の前記論理チャネルに関連づけられた各ＭＡＣヘッダについてＭが３に等しく、前記ＲＡＣＨトランスポートチャネル用の前記論理チャネルに関連づけられた各ＭＡＣヘッダについてＭが２に等しい請求項１１記載のＣＤＭＡデータ通信システム。
【請求項１３】  互いに異なるタイプの少なくとも二つの論理チャネル１セットに関連づけられた各トランスポートチャネルについて、それぞれの論理チャネルのセットの中の各論理チャネルに関連づけられた固定のＭＡＣヘッダビットサイズを、各固定のＭＡＣヘッダビットサイズがＭモジュロＮ（ＭはＮ未満の自然数であり、Ｍは互いに異なるトランスポートチャネルに関連づけられたＭＡＣヘッダごとに互いに異なっていても差し支えない）となるように選んだ請求項１記載のＣＤＭＡデータ通信システム。
【請求項１４】  Ｎが８に等しく、前記論理データがデータオクテットで構成された無線リンク制御プロトコルデータユニット（ＲＬＣ  ＰＤＵ）の形である請求項１３記載のＣＤＭＡデータ通信システム。
【請求項１５】  少なくとも一つのトランスポートチャネルを含み、それに関連づけられたＭＡＣヘッダビットサイズについてのＭの値が、少なくとも一つの他のトランスポートチャネルについての前記固定のＭＡＣヘッダビットサイズのＭの値とは異なる請求項１４記載のＣＤＭＡデータ通信システム。
【請求項１６】  前記トランスポートチャネルが、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）および共通トラフィックチャネル（ＣＴＣＨ）を含む１セットの論理チャネルに関連づけられた順方向アクセスチャネル（ＦＡＣＨ）と、
前記ＤＴＣＨ、前記ＤＣＣＨ、前記ＳＨＣＣＨおよび前記ＣＣＣＨを含む１セットの論理チャネルに関連づけられたランダムアクセスチャネル（ＲＡＣＨ）と
を含む請求項１５記載のＣＤＭＡデータ通信システム。
【請求項１７】  前記ＦＡＣＨトランスポートチャネル用の前記論理チャネルに関連づけられた各ＭＡＣヘッダについてＭが３に等しく、前記ＲＡＣＨトランスポートチャネル用の論理チャネルに関連づけられた各ＭＡＣヘッダについてＭが２に等しい請求項１６記載のＣＤＭＡデータ通信システム。
【請求項１８】  前記ＦＡＣＨトランスポートチャネルおよびＲＡＣＨトランスポートチャネルについて、各ＭＡＣヘッダがトランスポートチャネルデータに関連づけられた被選択論理チャネルのタイプを特定するデータのＴＣＴＦデータフィールドを有し、前記ＴＣＴＦフィールドのビットサイズを前記ＭＡＣヘッダのモジュロＮのビットサイズＭを定めるように選んだ請求項１７記載のＣＤＭＡデータ通信システム。
【請求項１９】  前記ＣＣＣＨ、ＣＴＣＨ、ＳＨＣＣＨおよびＢＣＣＨ論理チャネルに関連づけられたＦＡＣＨ  ＭＡＣヘッダについて前記ＴＣＴＦデータフィールドのビットサイズが３であり、前記ＤＣＣＨおよびＤＴＣＨ論理チャネルに関連づけられた前記ＦＡＣＨ  ＭＡＣヘッダについて前記ＴＣＴＦデータフィールドのビットサイズが５であり、前記ＣＣＣＨおよびＳＨＣＣＨ論理チャネルに関連づけられたＲＡＣＨ  ＭＡＣヘッダについて前記ＴＣＴＦデータフィールドのビットサイズが２であり、前記ＤＣＣＨおよびＤＴＣＨ論理チャネルに関連づけられたＲＡＣＨ  ＭＡＣヘッダについて前記ＴＣＴＦデータフィールドのビットサイズが４である請求項１８記載のＣＤＭＡデータ通信システム。
【請求項２０】  各チャネルに特定のサイズのデータ転送ブロックを用いてＭＡＣ層が複数のトランスポートチャネル経由で物理層にデータを提供するような物理層および媒体アクセス制御（ＭＡＣ）層を有し、各トランスポートチャネルが１セットの論理チャネルと関連づけられ、少なくとも一つの転送チャネル用に前記論理チャネルのセットが互いに異なる論理タイプの少なくとも二つの論理チャネルを含むＣＤＭＡ通信システム用の方法であって、
互いに異なる二つのタイプの論理チャネルを含む論理チャネルセットに関連づけられた特定のトランスポートチャネルについて、固定のＭＡＣヘッダビットサイズをＭモジュロＮ（Ｎは３より大きい選択された整数、Ｍは０より大きくＮ未満の整数である）に等しい状態で、固定のＭＡＣヘッダビットサイズと前記セットの中の各論理チャネルとを関連づける過程と、
各トランスポートブロックのための論理チャネルデータがＮで割り切れるビットサイズを備える状態で、前記特定のトランスポートチャネルに関連づけられた１セットの論理チャネルからのトランスポートのための論理チャネルデータを有する論理チャネルを選択する過程と、
前記特定のトランスポートチャネル経由で前記ＭＡＣ層から前記物理層にデータの複数のトランスポートブロックとして前記論理チャネルデータを提供する過程であって、データの各トランスポートブロックが前記トランスポート特定チャネルに対するＭＡＣヘッダデータおよび論理チャネルデータを含み、データの各トランスポートブロックが有限の数のトランスポートブロック（ＴＢ）ビットサイズの一つ、すなわち、同一のトランスポートチャネルデータおよび同一の被選択論理チャネルデータについてのデータをトランスポートしているトランスポートブロックに対する第１の固定のサイズに設定した第１のＭＡＣヘッダの第１のビットサイズ（前記ＭＡＣヘッダの前記第１のビットサイズに前記論理チャネルデータの前記第１のビットサイズを加えたものが前記ＴＢビットサイズの一つに等しい）と、異なるトランスポートチャネルデータまたは異なる被選択論理チャネルデータについてのデータをトランスポートしているトランスポートブロックに対する第２の固定サイズに設定した第２のＭＡＣヘッダの第２のビットサイズ（ＭＡＣヘッダの第２のビットサイズに異なる論理チャネルデータの第２のビットサイズを加えたものが前記ＴＢのビットサイズのうち一つに等しい）とを含む有限の数のトランスポートブロック（ＴＢ）ビットサイズの一つのサイズである過程と
を含むことを特徴とする方法。
【請求項２１】  請求項１記載のＣＤＭＡ通信システムであって、
互いに異なる二つのタイプの論理チャネルを含む論理チャネルセットに関連づけられた特定のトランスポートチャネルについて、固定のＭＡＣヘッダビットサイズをＭモジュロＮ（Ｎは３より大きい選択された整数、Ｍは０より大きくＮ未満の整数である）に等しい状態で、固定のＭＡＣヘッダビットサイズと前記セットの中の各論理チャネルとを関連づけるプロセッサ手段を含み、
前記プロセッサ手段が各トランスポートブロックのための論理チャネルデータがＮで割り切れるビットサイズである状態で、前記特定のトランスポートチャネルに関連づけられた１セットの論理チャネルからのトランスポートのための論理チャネルデータを有する論理チャネルを選択し、
前記プロセッサ手段が前記特定のトランスポートチャネル経由で前記ＭＡＣ層から前記物理層にデータの複数のトランスポートブロックとして前記論理チャネルデータを提供し、データの各トランスポートブロックがＭＡＣヘッダデータおよび前記トランスポート特定チャネルに対する論理チャネルデータを含み、データの各トランスポートブロックが有限の数のトランスポートブロック（ＴＢ）ビットサイズの一つ、すなわち、同一のトランスポートチャネルデータおよび同一の被選択論理チャネルデータについてのデータをトランスポートしているトランスポートブロックに対する第１の固定のサイズに設定した第１のＭＡＣヘッダの第１のビットサイズ（前記ＭＡＣヘッダの前記第１のビットサイズに前記論理チャネルデータの前記第１のビットサイズを加えたものが前記ＴＢビットサイズの一つに等しい）と、異なるトランスポートチャネルデータまたは異なる被選択論理チャネルデータについてのデータをトランスポートしているトランスポートブロックに対する第２の固定サイズに設定した第２のＭＡＣヘッダの第２のビットサイズ（ＭＡＣヘッダの第２のビットサイズに異なる論理チャネルデータの第２のビットサイズを加えたものが前記ＴＢのビットサイズのうちの一つに等しい）とを含む有限の数のトランスポートブロック（ＴＢ）ビットサイズの一つのサイズである
ＣＤＭＡ通信システム。
【請求項２２】  請求項１記載のＣＤＭＡ通信システムであって、
互いに異なる二つのタイプの論理チャネルを含む論理チャネルセットに関連づけられた特定のトランスポートチャネルについて、固定のＭＡＣヘッダビットサイズをＭモジュロＮ（Ｎは３より大きい選択された整数、Ｍは０より大きくＮ未満の整数である）に等しい状態で、固定のＭＡＣヘッダビットサイズと前記セットの中の各論理チャネルとを関連づけるプロセッサを含み、
前記プロセッサが各トランスポートブロックのための論理チャネルデータがＮで割り切れるビットサイズである状態で、前記特定のトランスポートチャネルに関連づけられた１セットの論理チャネルからのトランスポートのための論理チャネルデータを有する論理チャネルを選択し、
前記プロセッサが前記特定のトランスポートチャネル経由で前記ＭＡＣ層から前記物理層にデータの複数のトランスポートブロックとして前記論理チャネルデータを提供し、データの各トランスポートブロックがＭＡＣヘッダデータおよび前記トランスポート特定チャネルに対する論理チャネルデータを含み、データの各トランスポートブロックが有限の数のトランスポートブロック（ＴＢ）ビットサイズの一つ、すなわち、同一のトランスポートチャネルデータおよび同一の被選択論理チャネルデータについてのデータをトランスポートしているトランスポートブロックに対する第１の固定のサイズに設定した第１のＭＡＣヘッダの第１のビットサイズ（前記ＭＡＣヘッダの前記第１のビットサイズに前記論理チャネルデータの前記第１のビットサイズを加えたものが前記ＴＢビットサイズの一つに等しい）と、異なるトランスポートチャネルデータまたは異なる被選択論理チャネルデータについてのデータをトランスポートしているトランスポートブロックに対する第２の固定サイズに設定した第２のＭＡＣヘッダの第２のビットサイズ（ＭＡＣヘッダの第２のビットサイズに異なる論理チャネルデータの第２のビットサイズを加えたものが前記ＴＢのビットサイズのうち一つに等しい）とを含む有限の数のトランスポートブロック（ＴＢ）のビットサイズの一つのサイズである
ＣＤＭＡ通信システム。